(57)【要約】【課題】電子部品の組付性を向上させることができる電気接続箱およびワイヤハーネスを提供する。【解決手段】電気接続箱１は、筒部２１の互いに対向する少なくとも一組の壁部２１ｂにそれぞれ設けられ、互いに対向し対向方向に壁部２１ｂを貫通する一対の開口部２３を有する。一対の開口部２３は、電子部品１０の側面に設けられた突起部１３を係止し、筒部２１は、壁部２１ｂのそれぞれに設けられ、挿入口２１ａ側の端部と開口部２３側の端部との間に挿入方向に沿って壁部２１ｂを分割するスリット２９を有する。【選択図】図１
2019050660.tif 000002
【特許請求の範囲】
【請求項１】
電子部品と、
筒状に形成され前記電子部品が挿入方向に沿って挿入される挿入口が設けられる筒部と、
前記筒部の前記挿入口とは反対側に設けられ、前記挿入口から前記筒部に挿入された前記電子部品を支持する支持部と、
前記筒部の互いに対向する少なくとも一組の壁部にそれぞれ設けられ、互いに対向し対向方向に前記壁部を貫通する一対の開口部と、
を有し、
一対の前記開口部は、
前記電子部品の側面に設けられた突起部を係止し、
前記筒部は、
前記壁部のそれぞれに設けられ、前記挿入口側の端部と前記開口部側の端部との間に前記挿入方向に沿って前記壁部を分割するスリットを有する、
ことを特徴とする電気接続箱。
【請求項２】
一組の前記壁部は、
前記スリットに沿って設けられ、かつ前記開口部側の端部から互いに対向する対向方向に向けて突出する一対の押圧突起部を有し、
各前記押圧突起部は、
前記開口部が前記電子部品の前記突起部を係止する係止状態で、当該突起部と前記挿入方向に対向して当接する、
ことを特徴とする請求項１に記載の電気接続箱。
【請求項３】
前記スリットは、
前記挿入方向に直交する直交方向の幅が、前記電子部品の前記突起部における前記直交方向の幅より狭く形成される、
請求項１または２に記載の電気接続箱。
【請求項４】
電線と、
前記電線に電気的に接続する電子部品と、筒状に形成され前記電子部品が挿入方向に沿って挿入される挿入口が設けられる筒部と、前記筒部の前記挿入口とは反対側に設けられ、前記挿入口から前記筒部に挿入された前記電子部品を支持する支持部と、前記筒部の互いに対向する少なくとも一組の壁部にそれぞれ設けられ、互いに対向し対向方向に前記壁部を貫通する一対の開口部とを有する電気接続箱と、
を備え、
一対の前記開口部は、
前記電子部品の側面に設けられた突起部を係止し、
前記筒部は、
前記壁部のそれぞれに設けられ、前記挿入口側の端部と前記開口部側の端部との間に前記挿入方向に沿って前記壁部を分割するスリットを有する、
ことを特徴とするワイヤハーネス。
【発明の詳細な説明】
【技術分野】
【０００１】
本発明は、電気接続箱およびワイヤハーネスに関する。
【背景技術】
【０００２】
従来、自動車等の車両に搭載され、ワイヤハーネス等の接続処理用部品や、ヒューズ、リレー、電子制御ユニット等の電子部品を集約して収容する電気接続箱（ジャンクションボックス、ヒューズボックス、リレーボックス等とも呼ばれる）が知られている。このような電気接続箱は、例えば、リレー等の電子部品を装着する筒形状の装着部が設けられている（例えば、特許文献１）。
【先行技術文献】
【特許文献】
【０００３】
【特許文献１】特許第５２２１２５５号公報
【発明の概要】
【発明が解決しようとする課題】
【０００４】
ところで、作業者が電気接続箱に電子部品を装着する場合、例えば筒形状の装着部を外側に押し広げながら電子部品を挿入して嵌合させているが、電子部品の組付性の点で改善の余地がある。
【０００５】
本発明は、電子部品の組付性を向上させることができる電気接続箱およびワイヤハーネスを提供することを目的とする。
【課題を解決するための手段】
【０００６】
上記目的を達成するために、本発明に係る電気接続箱は、電子部品と、筒状に形成され前記電子部品が挿入方向に沿って挿入される挿入口が設けられる筒部と、前記筒部の前記挿入口とは反対側に設けられ、前記挿入口から前記筒部に挿入された前記電子部品を支持する支持部と、前記筒部の互いに対向する少なくとも一組の壁部にそれぞれ設けられ、互いに対向し対向方向に前記壁部を貫通する一対の開口部と、を有し、一対の前記開口部は、前記電子部品の側面に設けられた突起部を係止し、前記筒部は、前記壁部のそれぞれに設けられ、前記挿入口側の端部と前記開口部側の端部との間に前記挿入方向に沿って前記壁部を分割するスリットを有する、ことを特徴とする。
【０００７】
上記電気接続箱において、一組の前記壁部は、前記スリットに沿って設けられ、かつ前記開口部側の端部から互いに対向する対向方向に向けて突出する一対の押圧突起部を有し、各前記押圧突起部は、前記開口部が前記電子部品の前記突起部を係止する係止状態で、当該突起部と前記挿入方向に対向して当接する、ことが好ましい。
【０００８】
上記電気接続箱において、前記スリットは、前記挿入方向に直交する直交方向の幅が、前記電子部品の前記突起部における前記直交方向の幅より狭く形成される、ことが好ましい。
【０００９】
上記目的を達成するために、本発明に係るワイヤハーネスは、電線と、前記電線に電気的に接続する電子部品と、筒状に形成され前記電子部品が挿入方向に沿って挿入される挿入口が設けられる筒部と、前記筒部の前記挿入口とは反対側に設けられ、前記挿入口から前記筒部に挿入された前記電子部品を支持する支持部と、前記筒部の互いに対向する少なくとも一組の壁部にそれぞれ設けられ、互いに対向し対向方向に前記壁部を貫通する一対の開口部とを有する電気接続箱と、を備え、一対の前記開口部は、前記電子部品の側面に設けられた突起部を係止し、前記筒部は、前記壁部のそれぞれに設けられ、前記挿入口側の端部と前記開口部側の端部との間に前記挿入方向に沿って前記壁部を分割するスリットを有する、ことを特徴とする。
【発明の効果】
【００１０】
本発明に係る電気接続箱およびワイヤハーネスによれば、電子部品の組付性を向上させることができるという効果を奏する。
【図面の簡単な説明】
【００１１】
【図１】図１は、実施形態に係る電気接続箱の概略構成を示す分解斜視図である。
【図２】図２は、実施形態に係る電気接続箱の概略構成を示す側面図である。
【図３】図３は、実施形態に係る電気接続箱の概略構成を示す平面図である。
【図４】図４は、実施形態に係る電気接続箱の部分断面図である。
【図５】図５は、実施形態に係る電気接続箱の機能例を示す平面図である。
【発明を実施するための形態】
【００１２】
以下に、本発明に係る電気接続箱およびワイヤハーネスの実施形態について図面を参照しつつ詳細に説明する。なお、この実施形態により本発明が限定されるものではない。また、下記の実施形態における構成要素には、当業者が容易に想定できるもの、あるいは実質的に同一のものが含まれる。また、下記の実施形態における構成要素は、発明の要旨を逸脱しない範囲で、種々の省略、置き換え、変更を行うことができる。
【００１３】
［実施形態］
図１は、実施形態に係る電気接続箱の概略構成を示す分解斜視図である。図２は、実施形態に係る電気接続箱の概略構成を示す側面図である。図３は、実施形態に係る電気接続箱の概略構成を示す平面図である。図４は、実施形態に係る電気接続箱の部分断面図である。図５は、実施形態に係る電気接続箱の機能例を示す平面図である。なお、図２および図５は、電気接続箱に電子部品を装着した装着状態を示す図である。図３は、電気接続箱から電子部品を取り外した状態を示す図である。図４は、電気接続箱に電子部品を装着している途中の状態を示す図である。ここで、図１〜図５のＸ方向は、本実施形態における電気接続箱の幅方向とする。Ｙ方向は、本実施形態における電気接続箱の奥行き方向とし、Ｘ方向と直交する方向である。Ｚ方向は、本実施形態における電子部品の挿入方向とし、Ｘ方向およびＹ方向と直交する方向である。Ｚ方向は、上方向をＺ１方向とし、下方向をＺ２方向とする。
【００１４】
本実施形態に係る電気接続箱１は、自動車等の車両（不図示）に搭載される。電気接続箱１は、ワイヤハーネス１００に組み込まれ、電線１０１等の接続処理用部品を構成するコネクタ、ヒューズ、リレー、電子制御ユニット等の電子部品１０を集約して収容するものである。電気接続箱１は、例えば車両のエンジンルームや車体の下方部分に設置され、バッテリ等の電源と、車両内に搭載される各種電子機器との間に接続される。電気接続箱１は、電源から供給された電力を車両内の各種電子機器に分配する。なお、電気接続箱１は、ジャンクションボックス、ヒューズボックス、リレーボックス等とも呼ばれる場合があるが、本実施形態ではこれらを総称して電気接続箱１と呼ぶ。
【００１５】
本実施形態に係る電気接続箱１は、図１に示すように、アッパーカバー２と、保持部２０と、電子部品１０とを含んで構成される。アッパーカバー２は、ロアカバー（不図示）に組み付けられた状態において、内部にバスバー（不図示）を収容する筐体を構成する。バスバーは、電子部品１０とワイヤハーネス１００を構成する電線１０１と電気的に接続する金属製の導体である。バスバーは、筐体内に保持される。バスバーは、ワイヤハーネス１００の電線１０１と、保持部２０に装着された電子部品１０とを予め定められたパターンにしたがって、互いに電気的に接続する。アッパーカバー２は、絶縁性の合成樹脂等からなり、周知の射出成形により成形される。アッパーカバー２は、電子部品１０を保持する。アッパーカバー２は、保持部２０と、天井壁２４と、外壁２５とを含んで構成される。アッパーカバー２は、天井壁２４と、天井壁２４の外縁からＺ２方向に立設しかつ互いに連なる複数の外壁２５とにより、Ｚ２方向に開口する箱形状に形成されている。
【００１６】
保持部２０は、電子部品１０を保持するものであり、アッパーカバー２のＺ１方向の天井壁２４に少なくとも１つ設けられている。保持部２０は、筒部２１と、支持部２２と、一対の開口部２３とを含んで構成される。
【００１７】
筒部２１は、筒状に形成され電子部品１０が挿入方向に沿って挿入される挿入口２１ａが設けられ、挿入口２１ａとは反対側に支持部２２が設けられている。挿入口２１ａは、筒部２１のＺ１方向を矩形状に開口する部分である。筒部２１は、互いに連なる複数の矩形板状の壁部２１ｂを備え、筒形状に形成されている。筒部２１は、例えば、Ｚ１方向から見た場合に矩形状である。筒部２１は、アッパーカバー２の天井壁２４に対して、壁部２１ｂが挿入方向に沿うように立設されている。天井壁２４は、筒部２１の壁部２１ｂから外側に向かって挿入方向と直交する方向（例えばＹ方向）に形成され、ロアカバー内の空間を閉塞する。筒部２１は、アッパーカバー２の天井壁２４に一体成形してもよいし、又は、別体成形としてアッパーカバー２の天井壁２４に組み付ける構成としてもよい。本実施形態の筒部２１は、アッパーカバー２の天井壁２４に一体成形されている。
【００１８】
筒部２１は、壁部２１ｂのそれぞれに設けられ、挿入口２１ａ側の端部と開口部２３側の端部との間に挿入方向に沿って壁部２１ｂを分割するスリット２９を有する。スリット２９は、対向する壁部２１ｂにそれぞれ設けられている。本実施形態のスリット２９は、図２に示すように、挿入方向に直交する直交方向の幅ａが、電子部品１０の突起部１３における直交方向の幅ｂより狭く形成される。
【００１９】
筒部２１は、一対の対向する押圧突起部２１ｃが、対向する壁部２１ｂの内側にそれぞれ設けられている。本実施形態における一対の押圧突起部２１ｃは、図１〜図３に示すように、スリット２９に沿って設けられ、かつ開口部２３側の端部から互いに対向する対向方向に向けて突出する。各押圧突起部２１ｃは、開口部２３が設けられた壁部２１ｂにおいて、スリット２９を挟んで挿入方向と直交する奥行き方向（Ｙ方向）に２箇所に分割されている。各押圧突起部２１ｃは、開口部２３が設けられた壁部２１ｂにおいて、開口部２３が電子部品１０の突起部１３を係止する係止状態で、当該突起部１３と挿入方向に対向して当接する。各押圧突起部２１ｃは、Ｚ１方向に設けられた傾斜面２１ｄと、各押圧突起部２１ｃが対向する対向方向に設けられた垂直面２１ｅとを有している。傾斜面２１ｄは、筒部２１の内側に向かうに従ってＺ１方向からＺ２方向に向けて傾斜した平面である。垂直面２１ｅは、筒部２１の壁部２１ｂの内面に平行な平面である。一対の傾斜面２１ｄは、筒部２１の内側に挿入される電子部品１０の外周に当接し当該電子部品１０を筒部２１のＸ方向またはＹ方向の中央に案内する。一対の垂直面２１ｅは、電子部品１０が筒部２１のＸ方向またはＹ方向の中央に位置するように支持する。
【００２０】
筒部２１は、Ｚ１方向から見た場合、当該筒部２１の内側の大きさと電子部品１０の外形の大きさとが略同じ大きさである。つまり、筒部２１は、当該筒部２１の内側のＹ方向における長さ（一対の押圧突起部２１ｃのＹ方向の長さを除く）が、電子部品１０の本体部１１のＹ方向の長さと略同じである。また、筒部２１は、当該筒部２１の内側のＸ方向における長さ（一対の押圧突起部２１ｃのＸ方向の長さを除く）が、電子部品１０の本体部１１のＸ方向の長さ（一対の突起部１３のＸ方向の長さを除く）と略同じである。
【００２１】
支持部２２は、天井壁２４において壁部２１ｂにより囲われた内側の部分であり、矩形状に形成されている。本実施形態の支持部２２は、筒部２１の挿入口２１ａとは反対側に設けられ、挿入口２１ａから筒部２１に挿入された電子部品１０を支持する。支持部２２は、図３に示すように、電子部品１０の各端子１２がそれぞれ挿通される複数の挿通孔２１ｆが設けられている。各挿通孔２１ｆは、それぞれ、保持部２０に電子部品１０が装着された際に、当該電子部品１０の各端子１２が挿通される。
【００２２】
一対の開口部２３は、筒部２１の互いに対応する壁部２１ｂにそれぞれ設けられている。各開口部２３は、Ｘ方向に対向する壁部２１ｂにそれぞれ設けられている。各開口部２３は、壁部２１ｂのＸ方向の略中央、かつ壁部２１ｂのＺ２方向に設けられている。各開口部２３は、各開口部２３が対向する対向方向に壁部２１ｂを貫通している。本実施形態の開口部２３は、電子部品１０の側面に設けられた突起部１３を係止する。壁部２１ｂは、従来のように、開口部２３を有し、かつスリット２９を有していない場合、Ｙ方向中央付近に樹脂会合部を有する。この樹脂会合部は、射出成形により金型内で２つの流体状の熱可塑性樹脂が会合することで形成される部分である。本実施形態の壁部２１ｂは、図２に示すように、例えば２つの流体状の熱可塑性樹脂が矢印Ｒの方向に流動するが、スリット２９の存在によりこれらが会合することはなく、樹脂会合部が形成されることはない。
【００２３】
電子部品１０は、例えばリレーである。電子部品１０は、内側に内部コイル等を収容したブロック状の本体部１１と、この本体部１１のＺ２方向に位置する底面（不図示）から突出した導電性を有する帯板状の複数の端子１２と、本体部１１の側面に設けられ、かつ互いに相対する一対の係止用の突起部１３とを備えている。各端子１２は、それぞれ、電子部品１０が保持部２０に装着された際に、支持部２２の各挿通孔２１ｆに通され、バスバー（不図示）と電気的に接続される。各突起部１３は、互いに本体部１１の長辺方向に沿って相対するように配置されている。各突起部１３は、それぞれ、電子部品１０が保持部２０に装着された際に、保持部２０の後述する互いに相対する開口部２３に係止して、電子部品１０を保持部２０の筒部２１内に固定する。
【００２４】
次に、本実施形態に係る電気接続箱１における電子部品１０の組み付けについて説明する。電気接続箱１は、図１に示すように、保持部２０に対して電子部品１０が相対され、Ｚ１方向からＺ２方向に向けて電子部品１０が保持部２０の筒部２１内に当該電子部品１０の各端子１２側から挿入される。電気接続箱１は、筒部２１内において押圧突起部２１ｃにより電子部品１０を筒部２１の挿入方向と直交する方向（Ｘ方向およびＹ方向）の中央に案内する。
【００２５】
電気接続箱１は、図４に示すように、支持部２２の各挿通孔２１ｆそれぞれに電子部品１０の各端子１２が通され、保持部２０の筒部２１内に電子部品１０の本体部１１が挿入されていくと、電子部品１０のＹ方向の両側面が、Ｙ方向に対向する壁部２１ｂの各押圧突起部２１ｃに当接する。同時に、電子部品１０のＸ方向の両側面における一対の突起部１３が、Ｘ方向に対向する壁部２１ｂの各押圧突起部２１ｃに当接する。さらに、保持部２０の筒部２１内に電子部品１０の本体部１１が挿入されていくと、電子部品１０の各突起部１３が、押圧突起部２１ｃの傾斜面２１ｄおよび垂直面２１ｅを摺接しながら乗り越えて、Ｚ２方向に向けて移動する。電気接続箱１は、電子部品１０の各突起部１３が押圧突起部２１ｃを摺接しながら乗り越える際に、各壁部２１ｂのＹ方向中央付近に応力が生じる。本実施形態の電気接続箱１は、開口部２３が設けられた壁部２１ｂにスリット２９を有するので、電子部品１０の各突起部１３により壁部２１ｂが外側に押圧されても、図５に示すように、壁部２１ｂのスリット２９側の端部がＸ方向外側に向けて弾性変形する。これにより、電気接続箱１は、電子部品１０の各突起部１３が壁部２１ｂの押圧突起部２１ｃに当接しても当該壁部２１ｂにかかる応力を緩和することができる。
【００２６】
電気接続箱１は、さらに、筒部２１内に電子部品１０の本体部１１を挿入させていくと、電子部品１０の各突起部１３が壁部２１ｂの各押圧突起部２１ｃを乗り越えて開口部２３の各々と係止し、支持部２２が電子部品１０の底面を支持する。電気接続箱１は、各押圧突起部２１ｃが、各壁部２１ｂの弾性復元力によって、筒部２１内に電子部品１０の本体部１１を保持するとともに、対向する一対の開口部２３が、電子部品１０の各突起部１３の各々と係止することで、筒部２１内に電子部品１０の本体部１１を固定する。これにより、電気接続箱１は、保持部２０に電子部品１０が装着される。
【００２７】
以上説明したように、本実施形態に係る電気接続箱１およびワイヤハーネス１００は、筒部２１の互いに対向する少なくとも一組の壁部２１ｂにそれぞれ設けられ、互いに対向し対向方向に壁部２１ｂを貫通する一対の開口部２３を有する。一対の開口部２３は、電子部品１０の側面に設けられた突起部１３を係止し、筒部２１は、壁部２１ｂのそれぞれに設けられ、挿入口２１ａ側の端部と開口部２３側の端部との間に挿入方向に沿って壁部２１ｂを分割するスリット２９を有する。これにより、電子部品１０の筒部２１内の挿入時に、筒部２１の壁部２１ｂが弾性変形し易くなり、電子部品１０の筒部２１への挿入力、筒部２１から電子部品２１への反力、および壁部２１ｂに生じる応力が低下して、電気接続箱１に対する電子部品１０の組付性の向上を図ることができる。
【００２８】
また、本実施形態に係る電気接続箱１およびワイヤハーネス１００は、各押圧突起部２１ｃが、開口部２３が電子部品１０の突起部１３を係止する係止状態で、当該突起部１３と挿入方向に対向して当接するので、保持部２０の筒部２１内に電子部品１０の本体部１１を確実に係止することが可能となる。
【００２９】
また、本実施形態に係る電気接続箱１およびワイヤハーネス１００は、スリット２９が、挿入方向に直交する直交方向の幅ａが、電子部品１０の突起部１３における直交方向の幅ｂより狭く形成される。これにより、電子部品１０の突起部１３を係止する開口部２３にスリット２９が設けられていても、当該突起部１３が、開口部２３の挿入口２１ａ側のスリット２９を挟んだ両端部およびスリット２９を挟んだ押圧突起部２１ｃに当接することができ、保持部２０の筒部２１内に電子部品１０の本体部１１を確実に係止することができる。
【００３０】
また、本実施形態に係る電気接続箱１およびワイヤハーネス１００は、筒部２１が、壁部２１ｂのそれぞれに設けられ、挿入口２１ａ側の端部と開口部２３側の端部との間に挿入方向に沿って壁部２１ｂを分割するスリット２９を有するので、上述した樹脂会合部が形成されることなく、開口部２３を有する壁部２１ｂを形成することができる。
【００３１】
［変形例］
なお、上記実施形態では、開口部２３が設けられた壁部２１ｂは、押圧突起部２１ｃがスリット２９を挟んで挿入方向と直交する奥行き方向（Ｙ方向）に２箇所に分割して形成されているが、いずれか一箇所にのみ形成されていてもよい。
【符号の説明】
【００３２】
１  電気接続箱
２  アッパーカバー
１０  電子部品
１１  本体部
１２  端子
１３  突起部
２０  保持部
２１  筒部
２１ａ  挿入口
２１ｂ  壁部
２１ｃ  押圧突起部
２１ｄ  傾斜面
２１ｅ  垂直面
２１ｆ  挿通孔
２２  支持部
２３  開口部
２５  外壁
２９  スリット
１００  ワイヤハーネス
１０１  電線
【図１】
2019050660.tif 000003
【図２】
2019050660.tif 000004
【図３】
2019050660.tif 000005
【図４】
2019050660.tif 000006
【図５】
2019050660.tif 000007